(57)【特許請求の範囲】
【請求項１】
磁気テープに記録トラックを形成して映像信号を記録するビデオテープレコーダにおいて、
所定のデータ圧縮処理単位で前記映像信号を符号化処理し、前記データ圧縮処理単位で所定の符号化データ量になるように符号化データを生成するデータ圧縮部と、
所定の誤り訂正処理単位で、前記符号化データに誤り訂正符号を付加する誤り訂正部と、
前記誤り訂正処理単位の符号化データ及び誤り訂正符号を、複数の記録トラックに割り当てて前記磁気テープに記録する記録部とを備え、
前記記録部は、
インサート編集による記録時、
記録開始位置において、前記複数の記録トラックのうちの記録開始端側の前記記録トラックの形成を停止し、
前記誤り訂正部は、
前記記録開始位置においても、前記符号化データを復号可能に、前記誤り訂正符号を生成する
ことを特徴とするビデオテープレコーダ。
【請求項２】
前記記録ヘッドに先行して前記磁気テープを走査して再生信号を出力する再生ヘッドと、
前記再生信号を信号処理して前記映像信号を再生する再生部とを備え、
前記再生ヘッドが前記磁気テープを走査して対応する映像信号が前記再生部より出力されるまでの再生時の遅延時間と、前記データ圧縮部に供給された映像信号が前記記録ヘッドにより前記磁気テープに記録されるまでの記録時の遅延時間とを加算した時間の分、前記記録ヘッドに先行して前記磁気テープを走査するように、前記再生ヘッドが配置された
ことを特徴とする請求項１に記載のビデオテープレコーダ。
【請求項３】
前記インサート編集において、
前記再生部より出力される映像信号と編集用映像信号とを、前記記録開始位置に対応する編集点で切り換えて前記データ圧縮部に供給する
ことを特徴とする請求項２に記載のビデオテープレコーダ。
【請求項４】
前記再生ヘッドは、複数組の磁気ヘッドでなり、
前記複数組の磁気ヘッドは、
一方組の磁気ヘッドが前記記録ヘッドの走査軌跡をジャストトラッキングにより走査したとき、他方組の磁気ヘッドが前記走査軌跡を所定量だけオフトラックして走査するように配置され、
前記再生部は、
前記複数組の磁気ヘッドより得られる再生信号を選択的に処理して前記映像信号を再生する
ことを特徴とする請求項２に記載のビデオテープレコーダ。
【請求項５】
磁気テープに記録トラックを形成して映像信号を記録するビデオテープレコーダにおいて、
所定のデータ圧縮処理単位で前記映像信号を符号化処理し、前記データ圧縮処理単位で所定の符号化データ量になるように符号化データを生成するデータ圧縮部と、
所定の誤り訂正処理単位で、前記符号化データに誤り訂正符号を付加する誤り訂正部と、
前記誤り訂正処理単位の符号化データ及び誤り訂正符号を、複数の記録トラックに割り当てて前記磁気テープに記録する記録部とを備え、
前記記録部は、
インサート編集による記録時、
記録終了位置において、前記複数の記録トラックのうちの記録終了端側の前記記録トラックの形成を停止し、
前記誤り訂正部は、
前記記録終了位置においても、前記符号化データを復号可能に、前記誤り訂正符号を生成する
ことを特徴とするビデオテープレコーダ。
【請求項６】
前記記録ヘッドに先行して前記磁気テープを走査して再生信号を出力する再生ヘッドと、
前記再生信号を信号処理して前記映像信号を再生する再生部とを備え、
前記再生ヘッドが前記磁気テープを走査して対応する映像信号が前記再生部より出力されるまでの再生時の遅延時間と、前記データ圧縮部に供給された映像信号が前記記録ヘッドにより前記磁気テープに記録されるまでの記録時の遅延時間とを加算した時間の分、前記記録ヘッドに先行して前記磁気テープを走査するように、前記再生ヘッドが配置された
ことを特徴とする請求項５に記載のビデオテープレコーダ。
【請求項７】
前記インサート編集において、
前記再生部より出力される映像信号と編集用映像信号とを、前記記録終了位置に対応する編集点で切り換えて前記データ圧縮部に供給する
ことを特徴とする請求項６に記載のビデオテープレコーダ。
【請求項８】
前記再生ヘッドは、複数組の磁気ヘッドでなり、
前記複数組の磁気ヘッドは、
一方組の磁気ヘッドが前記記録ヘッドの走査軌跡をジャストトラッキングにより走査したとき、他方組の磁気ヘッドが前記走査軌跡を所定量だけオフトラックして走査するように配置され、
前記再生部は、
前記複数組の磁気ヘッドより得られる再生信号を選択的に処理して前記映像信号を再生する
ことを特徴とする請求項６に記載のビデオテープレコーダ。
【請求項９】
磁気テープに記録トラックを形成して映像信号を記録するビデオテープレコーダの制御方法において、
所定のデータ圧縮処理単位で前記映像信号を符号化処理し、前記データ圧縮処理単位で所定の符号化データ量になるように符号化データを生成するデータ圧縮ステップと、
所定の誤り訂正処理単位で、前記符号化データに誤り訂正符号を付加する誤り訂正ステップと、
前記誤り訂正処理単位の符号化データ及び誤り訂正符号を、複数の記録トラックに割り当てて前記磁気テープに記録する記録ステップとを備え、
インサート編集による記録時、
記録開始位置において、前記複数の記録トラックのうちの記録開始端側の前記記録トラックの形成を停止し
前記記録開始位置においても、前記符号化データを復号可能に、前記誤り訂正符号を生成する
ことを特徴とするビデオテープレコーダの制御方法。
【請求項１０】
磁気テープに記録トラックを形成して映像信号を記録するビデオテープレコーダの制御方法において、
所定のデータ圧縮処理単位で前記映像信号を符号化処理し、前記データ圧縮処理単位で所定の符号化データ量になるように符号化データを生成するデータ圧縮ステップと、
所定の誤り訂正処理単位で、前記符号化データに誤り訂正符号を付加する誤り訂正ステップと、
前記誤り訂正処理単位の符号化データ及び誤り訂正符号を、複数の記録トラックに割り当てて前記磁気テープに記録する記録ステップとを備え、
インサート編集による記録時、
記録終了位置において、前記複数の記録トラックのうちの記録終了端側の前記記録トラックの形成を停止し、
前記記録終了位置においても、前記符号化データを復号可能に、前記誤り訂正符号を生成する
ことを特徴とするビデオテープレコーダの制御方法。
【発明の詳細な説明】
【０００１】
【発明の属する技術分野】
本発明は、ビデオテープレコーダ及びビデオテープレコーダの制御方法に関し、例えばＭＰＥＧ（Moving Picture Experts Group）の手法により映像信号をデータ圧縮して記録するビデオテープレコーダに適用することができる。本発明は、インサート編集の開始位置及び終了位置では、一部記録トラックの作成を停止してギャップを形成するようにし、またこのようにしても十分に再生可能に誤り訂正符号を設定することにより、磁気テープより再生した映像信号と編集用の映像信号とを繋ぎ合わせた映像信号をデータ圧縮して記録し、フレーム間符号化処理により映像信号を記録する場合でも、フレーム単位でインサート編集等の処理を実行できるようにする。
【０００２】
【従来の技術】
従来、輝度信号を周波数変調して記録するビデオテープレコーダにおいては、１フレーム分の映像信号を複数トラックに割り当てて記録するようになされており、これにより例えばインサート編集においては、編集点に対応する記録トラックより映像信号を記録し直して種々に編集処理できるようになされている。
【０００３】
【発明が解決しようとする課題】
ところでビデオテープレコーダにおいては、ＭＰＥＧの手法により映像信号をデータ圧縮して記録するようになされたものもある。このようなビデオテープレコーダにおいては、フレーム内符号化処理とフレーム間符号化処理とで発生データ量が大きく変化することにより、例えばＧＯＰ（Group Of Pictures ）単位にして、１ＧＯＰを複数トラックに割り当てて記録するようになされている。
【０００４】
このためこの種のビデオテープレコーダにおいては、単に記録トラックに映像信号を記録し直したのでは、結局ＧＯＰを単位にしてインサート編集等の処理を実行せざるを得ない。またＧＯＰを単位にして編集処理する場合でも、フレーム間符号化処理のフレームと、このフレームの予測フレームとが編集点を跨ぐ場合もあり、この場合正しい予測フレームからの予測誤差が磁気テープに記録されないことにより、再生画像の画質が著しく劣化する。これによりこの種のビデオテープレコーダにおいては、フレームを単位にして自由に編集処理することが困難な問題があった。
【０００５】
本発明は以上の点を考慮してなされたもので、フレーム間符号化処理によりデータ圧縮して映像信号を記録する場合でも、フレームを単位にして自由に編集処理することができるビデオテープレコーダ及びビデオテープレコーダの制御方法を提案しようとするものである。
【０００６】
【課題を解決するための手段】
かかる課題を解決するため請求項１、請求項５、請求項９又は請求項１０の発明においては、インサート編集による記録時、記録開始位置において、前記複数の記録トラックのうちの記録開始端側の前記記録トラックの形成を停止し、又は記録終了位置において、前記複数の記録トラックのうちの記録終了端側の前記記録トラックの形成を停止し、前記記録開始位置、記録終了位置においても、前記符号化データを復号可能に、前記誤り訂正符号を生成する。
【０００７】
請求項１、請求項５、請求項９又は請求項１０のの構成によれば、簡易な磁気テープ走行系によりインサート編集する場合でも、確実にインサート編集することができる。
【０００８】
【発明の実施の形態】
以下、適宜図面を参照しながら本発明の実施の形態を詳述する。
【０００９】
（１）第１の実施の形態
（１−１）全体構成
図２は、本発明の実施に形態に係るビデオテープレコーダに適用される磁気テープ１の記録フォーマットを示す平面図である。このビデオテープレコーダにおいては、磁気テープ１の上端及び下端、磁気テープ１の長手方向に、それぞれ種々の信号を記録する記録トラックＡＵＸ、ＣＴＬ、ＴＣが形成され、これら記録トラックＡＵＸ、ＣＴＬの間に、順次アジマス記録による斜めトラックが形成される。
【００１０】
ここで長手方向の記録トラックのうち、上端側の記録トラックＡＵＸは、アナログオーディオ信号、キュー信号等が記録される。また下側の記録トラックのうち、記録トラックＴＣは、タイムコードが記録される。さらに記録トラックＣＴＬは、コントロール用の記録トラックに割り当てられ、斜めトラックの５トラックで１周期信号レベルが切り換わるコントロール信号ＣＴＬが記録される。
【００１１】
また斜めトラックは、２トラック分のギャップを間に挟んだ１０本の記録トラックを単位にして形成され、この１０本の記録トラックに、ＭＰＥＧによるデータ圧縮処理単位でなる１ＧＯＰのビデオデータが、所定の配列により記録される。なおこの実施の形態では、１ＧＯＰに２フレームのビデオ信号が割り当てられ、この１ＧＯＰが誤り訂正処理単位でなるＥＣＣデータブロックに設定されるようになされている。
【００１２】
さらに斜めトラックは、走査開始端側及び走査終了端側の領域がビデオ領域ＡＲＶに割り当てられ、このビデオ領域ＡＲＶに符号化処理されたビデオデータが誤り訂正符号、ＥＣＣデータブロックの復号に必要な識別データＩＤと共に所定の配列により記録される。
【００１３】
このビデオ領域ＡＲＶの内側は、所定のギャップを間に挟んで、システムデータ領域ＡＲＳに割り当てられる。このシステムデータ領域ＡＲＳは、１０本を単位にした記録トラックのうち、先頭及び末尾を除く８本の記録トラックにシステムデータが誤り訂正符号と共に記録される。システムデータは、少なくとも各トラックに記録する識別データの一部と、履歴のデータにより構成される。
【００１４】
このうち識別データの一部は、これら１０本の記録トラックに割り当てられたＧＯＰの順序を示す（ＥＣＣデータブロックの順序をも示す）データが割り当てられる。また履歴データは、前後のＧＯＰとの連続性を表すデータであり、前後のＧＯＰの履歴データも併せてシステムデータに割り当てられる。これによりこの実施の形態では、磁気テープ１に形成されたＥＣＣデータブロックが例えばインサート編集により繋ぎ撮りを開始したデータブロックか否か、また記録を終了したデータブロックか否かを、該当するＧＯＰと前後のＧＯＰとで検出できるようになされている。
【００１５】
これらシステムデータ領域ＡＲＳの内側は、所定のギャップを間に挟んで、オーディオデータ領域ＡＲＡに割り当てられる。ここでこのオーディオデータ領域ＡＲＡは、それぞれ所定のギャップを間に挟んで８つのセクタに分割され、これらのセクタに４チャンネルのオーディオデータが振り分けられて記録される。
【００１６】
図３は、このようにして磁気テープ１に記録されるビデオデータのデータ圧縮処理の説明に供する略線図である。この実施の形態では、連続する映像信号によるビデオデータが２フレーム単位で区切られ、この２フレームがデータ圧縮処理単位でなる１ＧＯＰに設定される。さらに各ＧＯＰの先頭フレームが、前後のフレームを予測フレームに設定してなるフレーム間符号化処理によるＢピクチャーに設定され、続くフレームがフレーム内符号化処理によるＩピクチャーに設定される。なお図３においては、予測フレームとＢピクチャーの関係を矢印により示す。
【００１７】
図４は、このような記録フォーマットの形成に供するビデオテープレコーダの磁気ヘッドの配置を示す平面図である。この実施の形態に係るビデオテープレコーダにおいて、回転ドラム３は、記録ヘッドＲＥＣＡ及びＲＥＣＢを所定の角間隔（１２．８度）により保持し、この記録ヘッドＲＥＣＡ及びＲＥＣＢと１８０度対向して、それぞれモニタヘッドＰＢＡ及びＰＢＢを保持する。
【００１８】
回転ドラム３は、ほぼ１８０度の巻き付け角度により磁気テープ１が巻き付けられ、これら記録ヘッドＲＥＣＡ及びＲＥＣＢに対して、モニタヘッドＰＢＡ及びＰＢＢを、先行側に１トラックピッチだけ変位させて保持する。これにより図５に示すように、モニタヘッドＰＢＡ及びＰＢＢは、それぞれ対応する記録ヘッドＲＥＣＡ及びＲＥＣＢが走査した走査軌跡を走査直後に走査するようになされ、これによりビデオテープレコーダでは、記録結果をモニタできるようになされている。
【００１９】
さらに回転ドラム３は、記録ヘッドＲＥＣＡより１２．８度だけ離間して消去ヘッドＥＲを保持する（図４）。回転ドラム３は、記録ヘッドＲＥＣＡ、ＲＥＣＢが走査する記録トラックの直前に２トラックを纏めて走査するように、この消去ヘッドＥＲを保持し（図５）、これにより記録トラックを単位にして繋ぎ撮り録画できるようになされている。
【００２０】
さらに回転ドラム３は、これら記録ヘッドＲＥＣＡ、ＲＥＣＢよりそれぞれ回転ドラム３の回転方向に１０２．８度だけ離間して、先行読み出しヘッドＡＤＡ１、ＡＤＢ１を保持し（図４）、これら先行読み出しヘッドＡＤＡ１、ＡＤＢ１に対して１８０度対向して先行読み出しヘッドＡＤＡ２、ＡＤＢ２を保持する。
【００２１】
回転ドラム３は、これら先行読み出しヘッドＡＤＡ１、ＡＤＢ１と先行読み出しヘッドＡＤＡ２、ＡＤＢ２とで、対応するアジマス角の磁気ヘッドを同一の高さにより保持し、これにより一方の組の先行読み出しヘッドがジャストトラッキングにより対応する記録トラックを走査したとき、他方の組の先行読み出しヘッドが対応する記録トラックを１トラックだけオフトラックして走査するようになされている。これによりビデオテープレコーダでは、精度の低いトラッキング制御による場合でも、記録時と同一の条件により磁気テープ１を走行させると共に回転ドラム３を回転駆動して、何れかの先行読み出しヘッドＡＤＡ１、ＡＤＢ１又はＡＤＡ２、ＡＤＢ２よりビデオデータを再生できるようになされている。
【００２２】
さらに回転ドラム３は、これら先行読み出しヘッドＡＤＡ１、ＡＤＢ１又はＡＤＡ２、ＡＤＢ２のうち、後行側の先行読み出しヘッドＡＤＡ１、ＡＤＢ１が記録ヘッドＲＥＣＡ、ＲＥＣＢより６６トラックピッチ６６Ｔｐだけ先行して磁気テープ１を走査するように、これら先行読み出しヘッドＡＤＡ１、ＡＤＢ１、ＡＤＡ２、ＡＤＢ２を保持する。
【００２３】
ここでこのビデオテープレコーダにおいては、後行側の先行読み出しヘッドＡＤＡ１、ＡＤＢ１より得られる再生信号を信号処理してビデオデータをデータ伸長するまでに要する再生時の遅延時間と、ビデオデータをデータ圧縮して磁気テープ１に記録するまでに要する記録時の遅延時間との合計した時間（以下システムディレイと呼ぶ）が６．６ＧＯＰ分の時間になるように構成され、６６トラックピッチ６６Ｔｐがこのシステムディレイに相当するようになされている。これによりこのビデオテープレコーダでは、先行読み出しヘッドＡＤＡ１、ＡＤＢ１又はＡＤＡ２、ＡＤＢ２よりビデオ信号を再生し、記録ヘッドＲＥＣＡ、ＲＥＣＢによりこの再生したビデオ信号を元の記録位置に記録できるようになされている。
【００２４】
図６は、このような回転ドラム３の構成によるビデオテープレコーダの全体構成を示すブロック図である。
【００２５】
このビデオテープレコーダ１０において、タイミングジェネレータ（ＴＧ）１１は、局内同期ＲＥＦ、アナログ信号でなるビデオ信号ＳＶ又はディジタルビデオ信号ＳＤＩを基準にして、これら局内同期ＲＥＦ、ビデオ信号ＳＶ又はディジタルビデオ信号ＳＤＩに同期した各種基準信号を生成して出力する。このときタイミングジェネレータ１１は、局内同期ＲＥＦ、ビデオ信号ＳＶ又はディジタルビデオ信号ＳＤＩの１フレームを単位にして信号レベルが切り換わるＧＯＰ信号ＳＧＯＰを生成して出力する。
【００２６】
サーボ回路１２は、システムコントローラ１３の制御により動作を切り換え、タイミングジェネレータ１１より出力される基準信号に基づいて、磁気テープ走行系を駆動する。このときサーボ回路１２は、図２について上述したように、記録再生時、１ＧＯＰの期間で１０本の記録トラックを形成するように（すなわち１ＧＯＰで回転ドラムが６回転するように）、ドラムモータ等を駆動する。
【００２７】
映像音声処理回路１４は、記録再生に供されるビデオ信号及びオーディオ信号の入出力回路を構成し、システムコントローラ１３の制御により動作を切り換える。映像音声処理回路１４は、コンポジットのビデオ信号ＳＶを入力し、このビデオ信号ＳＶに同期したタイミングによりタイミングジェネレータ１１で生成される基準信号を基準にして、このビデオ信号をアナログディジタル変換処理する。さらに映像音声処理回路１４は、このようにして生成されるディジタルビデオ信号を信号処理して、それぞれ所定のサンプリングレートにより輝度データ、色差データが連続してなるビデオデータＤＶ１を出力する。またこのビデオデータＤＶ１に対応するオーディオ信号ＳＡを最大で４チャンネル入力し、各チャンネルのオーディオ信号ＳＡをアナログディジタル変換処理して４チャンネルのオーディオデータＤＡ１を出力する。
【００２８】
また映像音声処理回路１４は、所定フォーマットのシリアルデータによりビデオデータ及びオーディオデータが順次連続してなるディジタルビデオ信号ＳＤＩを入力し、このディジタルビデオ信号ＳＤＩを同様の輝度データ、色差データが連続してなるビデオデータＤＶ１、オーディオデータＤＡ１に変換して出力する。また映像音声処理回路１４は、これらの処理とは逆に、順次入力されるビデオデータＤＶ２及びオーディオデータＤＡ２をデータ処理し、ディジタルビデオ信号ＳＤＩを生成して出力する。また映像音声処理回路１４は、これらビデオデータＤＶ２及びオーディオデータＤＡ２をディジタルアナログ変換処理し、コンポジットのビデオ信号ＳＶ、最大で４チャンネルのオーディオ信号ＳＡを出力する。
【００２９】
また映像音声処理回路１４は、例えばインサート編集時、データ伸長回路１６より出力されるビデオデータＤＶ２によるビデオ信号と、順次入力されるビデオ信号ＳＶ又はディジタルビデオ信号ＳＤＩとを編集点に対応するタイミングにより切り換えて出力し、これによりビデオテープレコーダ１０では編集内容をリアルタイムでモニタできるようになされている。なおこれらの処理において、映像音声処理回路１４は、オーディオデータＤＡ２については、外符号デコーダ２１より直接入力し、ビデオデータＤＶ２については、データ伸長回路１６を介してオーディオデータＤＡ２より遅延して入力することにより、その分オーディオデータＤＡ２を遅延させて出力する。
【００３０】
選択回路１５は、システムコントローラ１３の設定により動作を切り換え、映像音声処理回路１４より出力されるビデオデータＤＶ１又はデータ伸長回路１６より出力されるビデオデータＤＶ２を選択出力する。フィルタ１７は、選択回路１５より出力されるビデオデータの帯域を制限して出力する。
【００３１】
データ圧縮回路１９は、ＭＰＥＧに規定のフォーマットにより、フィルタ１７から出力されるビデオデータＤＶ１をデータ圧縮して出力する。このときデータ圧縮回路１９は、ＧＯＰ信号ＳＧＯＰを基準にして、図３について上述したように、２フレームをデータ圧縮処理単位でなる１ＧＯＰに設定し、各ＧＯＰのビデオデータをデータ圧縮する。さらにデータ圧縮回路１９は、各ＧＯＰを符号化処理して発生するデータ量を検出し、この検出結果より各ＧＯＰの発生データ量が所定値になるように量子化ステップサイズを設定してデータ圧縮処理を実行する。
【００３２】
ＥＣＣエンコーダ２０は、このデータ圧縮回路１９より出力される符号化データＤ１を受け、１ＧＯＰを単位にして積符号形式の誤り訂正符号を付加する。これによりＥＣＣエンコーダ２０は、１ＧＯＰのビデオデータを単位にして誤り訂正処理単位でなるＥＣＣデータブロックを形成する。さらにＥＣＣエンコーダ２０は、映像音声処理回路１４よりオーディオデータＤＡ１又はＤＡ２を受け、１ＧＯＰに対応するデータ単位により積符号形式の誤り訂正符号を付加する。これによりＥＣＣエンコーダ２０は、オーディオデータについても、１ＧＯＰに対応する期間を単位にしてＥＣＣデータブロックを形成する。
【００３３】
図２について上述したように、この実施の形態においてビデオテープレコーダ１０では、１ＥＣＣデータブロックのビデオデータ、オーディオデータを１０本の記録トラックに分散させて記録するようになされており、ＥＣＣデータブロックの作成において、ＥＣＣエンコーダ２０は、この１０本の記録トラックのうちの少なくとも９本の記録トラックから得られる再生データを誤り訂正処理することにより元のビデオデータ、オーディオデータを実用上十分に正しく復号できるように、これら誤りＥＣＣデータブロックの符号長等が設定されるようになされている。
【００３４】
さらにＥＣＣエンコーダ２０は、これらのビデオデータ、オーディオデータ、誤り訂正符号を図２について上述した記録フォーマットに対応するタイミングで順次出力する。このときＥＣＣエンコーダ２０は、所定の順序によりこれらビデオデータ、オーディオデータ、誤り訂正符号の配列を入れ換えて出力し、これにより記録に供するデータをシャフリング処理する。さらにＥＣＣエンコーダ２０は、所定ブロック単位で、出力データに識別データＩＤを付加して出力し、これによりこの識別データＩＤを基準にして再生データを選択的に処理して元のＥＣＣデータブロックを再現できるようにする。さらにシステムコントローラ１３の設定により、システムデータを生成して誤り訂正符号と共に出力する。
【００３５】
記録回路２３は、磁気テープ１への記録に適した変調方式によりＥＣＣエンコーダ２０の出力データを変調して記録データを生成する。さらに記録回路２３は、この記録データをシリアルデータ列に変換し、図示しないロータリートランスを介してこのシリアルデータ列により記録ヘッドＲＥＣＡ、ＲＥＣＢを駆動する。このとき記録回路２３は、システムコントローラ１３の設定により、インサート編集により磁気テープ１に記録を開始するＥＣＣデータブロックについては、先行側の１記録トラック分、記録ヘッドＲＥＣＢの駆動を中止し、インサート編集により磁気テープ１への記録を終了するＥＣＣデータブロックについては、後行側の１記録トラック分、記録ヘッドＲＥＣＡの駆動を中止し、これにより磁気テープ１上にギャップを形成する。これによりビデオテープレコーダ１０では、インサート編集等の記録開始及び記録終了箇所において記録トラック形成位置が変位した場合でも、これら記録開始及び記録終了の前後のＥＣＣデータブロックについては、誤り訂正処理によりＥＣＣデータブロックの再生可能な９トラック分のデータを確実に再生できるようになされている。
【００３６】
ビデオテープレコーダ１０においては、この選択回路１５より記録ヘッドＲＥＣＡ、ＲＥＣＢまでの記録系において、８．４７フレーム分の遅延時間が発生するようになされている。
【００３７】
増幅回路２４及び２５は、それぞれモニタヘッドＰＢＡ、ＰＢＢ、先行読み出しヘッドＡＤＡ１〜ＡＤＢ２より得られる再生信号を増幅して出力する。再生信号処理回路２６は、記録時においては、増幅回路２４より出力されるモニタヘッドＰＢＡ、ＰＢＢの再生信号を選択的に処理して再生データを出力し、再生時においては、増幅回路２５より出力される先行読み出しヘッドＡＤＡ１〜ＡＤＢ２の再生信号を選択的に処理して再生データを出力する。すなわち再生信号処理回路２６は、これらの再生データを波形等化した後、クロックを再生する。さらにこのクロック基準にして再生信号をアナログディジタル変換処理してディジタル再生信号を生成する。さらに内蔵のビタビ復号回路によりこのディジタル再生信号を処理し、これによりＥＣＣエンコーダ２０の出力データに対応する再生データを出力する。
【００３８】
内符号デコーダ２７は、これら再生データに付加された内符号により再生データを誤り検出処理し、この誤り検出結果と共に再生データを出力する。また内符号デコーダ２７は、システムデータを誤り訂正処理してシステムコントローラ１３に出力する。
【００３９】
外符号デコーダ２１は、この内符号デコーダ２７より出力される再生データをを受け、この再生データを外符号により誤り訂正処理して内蔵のメモリに格納する。このとき外符号デコーダ２１は、内符号デコーダ２７における誤り検出結果、再生データに付加された識別データＩＤを基準にして、正しく誤り訂正処理された再生データを選択的にメモリに格納する。これによりビデオテープレコーダ１０では、再生時、いわゆるノントラッキングの手法を適用して磁気テープ１に記録されたデータを再生するようになされている。
【００４０】
外符号デコーダ２１は、このように識別データＩＤを基準にしてメモリに格納した再生データを所定順序により出力し、これにより連続する再生データをデシャフリング処理してＥＣＣデータブロックを再生する。外符号デコーダ２１は、このようにして得られる再生データより、オーディオデータを映像音声処理回路１４に出力する。またビデオデータによる符号化データをデータ伸長回路１６に出力する。
【００４１】
データ伸長回路１６は、外符号デコーダ２１より出力される符号化データよりビデオデータを復号して出力する。
【００４２】
ビデオテープレコーダ１０では、後行側の先行読み出しヘッドＡＤＡ１〜ＡＤＢ２からデータ伸長回路１６までの再生系において、４．６４フレーム分の遅延時間が発生し、これにより全体として６６トラックに対応する１３．２フレーム分のシステムディレイが発生するようになされている。
【００４３】
（１−２）システムコントローラ１３
システムコントローラ１３は、このビデオテープレコーダ１０の動作を制御するマイクロコンピュータにより構成され、図示しない操作子の操作に応動して、また外部機器より入力される制御コマンドに応動して、各信号処理回路等に制御コマンドを発行し、またフラッグを設定することにより、順次入力されるビデオ信号ＳＶ、ＳＤＩ、オーディオ信号ＳＡを選択的に磁気テープ１に記録し、また磁気テープ１に記録されたビデオ信号、オーディオ信号を再生して所望のフォーマットにより出力する。
【００４４】
すなわちこの記録再生系の制御において、システムコントローラ１３は、記録時、記録系を駆動して、順次入力されるビデオ信号ＳＶ、オーディオ信号ＳＡ又はディジタルビデオ信号ＳＤＩを磁気テープ１に記録し、またモニタヘッドＰＢＡ、ＰＢＢより得られる再生信号を再生系で処理してモニタ結果を出力する。これに対して再生時、先行読み出しヘッドＡＤＡ１〜ＡＤＢ２より得られる再生信号を再生系で処理して出力する。さらに図３について上述したオーディオデータ領域ＡＲＡ、ビデオ領域ＡＲＶについて、選択的に記録系、再生系を駆動し、これによりビデオ信号、オーディオ信号をアフターレコーディングする。
【００４５】
これに対してインサート編集においては、再生系を駆動して先行読み出しヘッドＡＤＡ１〜ＡＤＢ２より得られる再生信号をデータ圧縮処理単位で、再生、デコードし、イン点ＩＮ直前、アウト点ＯＵＴ直後のフレームを再生する。さらに記録系を駆動して、この再生したフレームをインサート編集素材と繋ぎ合わせて符号化データＤ１を生成し、この符号化データＤ１を所定のタイミングで、磁気テープ１に記録する。
【００４６】
すなわちシステムコントローラ１３は、数字により映像信号のフレームを表して図１に示すように、磁気テープ１に対してインサート編集する場合（図１（Ａ））、サーボ回路１２の動作を制御してこの磁気テープ１を所定量だけプリロールし、外部機器より入力される記録対象のビデオ信号ＳＶ１又はＳＤＩと調走させる。このときシステムコントローラ１３は、再生系の動作を制御し、先行読み出しヘッドＡＤＡ１〜ＡＤＢ２より得られる再生信号を信号処理し、イン点ＩＮより先行するビデオデータを磁気テープ１より再生する。
【００４７】
この場合、再生系において、４．６フレーム分の遅延時間が存在することにより、データ伸長回路１６より出力されるビデオデータＤＶ２においては、先行読み出しヘッドＡＤＡ１〜ＡＤＢ２による走査より４．６フレーム分だけ遅延することになる（図１（Ｂ））。
【００４８】
システムコントローラ１３は、この調走で再生されるビデオデータＤＶ２を映像音声処理回路１４を介して対応する音声信号と共に外部機器に出力する。また記録ヘッドＲＥＣＡ、ＲＥＣＢの駆動を停止した状態で、選択回路１５の接点をこのビデオデータＤＶ２側に保持し、併せてこのビデオデータＤＶ２をデータ圧縮回路１９、ＥＣＣエンコーダ２０により処理する。これによりシステムコントローラ１３は、イン点ＩＮ以前の記録済映像信号について、磁気テープ１より再生すると共に、この再生した映像信号よりＥＣＣデータブロックを形成する。
【００４９】
この状態でイン点ＩＮが到来すると、システムコントローラ１３は、選択回路１５の接点を映像音声処理回路１４側に切り換え、英字により示す記録対象のビデオデータＤＶ１をデータ圧縮回路１９に供給する（図１（Ｃ））。これによりシステムコントローラ１３は、イン点ＩＮを基準にして、磁気テープ１より再生したビデオデータＤＶ２に編集用ビデオデータＤＶ１を繋ぎ合わせて符号化データを生成する（図１（Ｄ））。
【００５０】
またシステムコントローラ１３は、同様にして、映像音声処理回路１４より出力される映像信号を切り換え、これによりイン点ＩＮを境にして素材が変化してなる編集内容の映像信号を出力する。
【００５１】
ここでこの記録系においては、８．４フレーム分の遅延時間を有していることにより、このイン点ＩＮ以降の符号化データにおいては、８．４フレーム分だけ遅延して記録ヘッドＲＥＣＡ、ＲＥＣＢに供給されることになる（図１（Ｅ））。さらにこの実施の形態においては、再生系及び記録系の遅延時間を加算してなるシステムディレイ分だけ、先行読み出しヘッドＡＤＡ１〜ＡＤＢ２より後行して、記録ヘッドＲＥＣＡ、ＲＥＣＢが配置されていることにより、元の記録位置を記録ヘッドＲＥＣＡ、ＲＥＣＢを走査するタイミングで対応する符号化データが記録ヘッドＲＥＣＡ、ＲＥＣＢに供給されることになる。
【００５２】
システムコントローラ１３は、このようにして生成した符号化データＤ１をビデオ領域ＡＲＶに記録するように、記録ヘッドＲＥＣＡ、ＲＥＣＢの動作を切り換える。このときシステムコントローラ１３は、このイン点ＩＮよりＩピクチャーが続く場合、このイン点ＩＮを含むＧＯＰ（ＥＣＣデータブロック）より符号化データＤ１を記録するように、記録ヘッドＲＥＣＡ、ＲＥＣＢの動作を切り換える（図１（Ｆ））。これによりシステムコントローラ１３は、イン点ＩＮ以降のフレームを予測フレームにしてなるイン点ＩＮ以前のフレーム（数字２により示す）については、イン点ＩＮ以降の正しい予測フレーム（数字Ａにより示す）により生成された符号化データＤ１を対応するＩピクチャーＩｉ１と共に一定データ量により磁気テープ１に記録し直し、画質劣化を有効に回避する。
【００５３】
すなわち図７に示すように、ＢピクチャーとＩピクチャーとが連続してなるビデオデータＤＶ１に対して、ＩピクチャーＩｉ１の開始をイン点ＩＮに設定して同様の配列順序でなる符号化データを単に配列すると（図７（Ａ）及び（Ｂ））、このＩピクチャーＩｉ１を予測フレームにしてなるＢピクチャーＢ１においては、予測フレームがデータ圧縮時と異なることにより、正しくデータ伸張することが困難になる（図７（Ｃ））。ところがこの実施の形態のように、磁気テープ１より再生された映像信号に編集用映像信号を繋ぎ併せてデータ圧縮し直し、その結果得られる符号化データＤ１を磁気テープ１に記録し直せば（図７（Ｄ）及び（Ｅ））、正しくデータ伸張することができ、その分画質劣化を有効に回避することができる。
【００５４】
さらにシステムコントローラ１３は、これらの処理と連動して、システムデータ領域ＡＲＳにおいて、１ＧＯＰだけ先行して記録ヘッドＲＥＣＡ、ＲＥＣＢの動作を立ち上げ、磁気テープ１に記録されたシステムデータの内容を更新する。かくしてこのイン点ＩＮによるビデオ領域ＡＲＶへの記録開始の履歴がこのイン点ＩＮ直後のＥＣＣデータブロックと、前後のＥＣＣデータブロックに記録されることになる（図１（Ｇ））。
【００５５】
なおオーディオデータは、データ伸張、データ圧縮処理されることなく、外符号デコーダ２１により誤り訂正処理された後、直接映像音声処理回路１４に入力されることから、その分ビデオデータに比してシステムディレイが小さいことになる。ところが、オーディオデータＤＡ２は、上述したようにその分映像音声処理回路１４で遅延されることになる。これによりシステムコントローラ１３は、オーディオデータ領域ＡＲＡにおいては、ビデオ領域ＡＲＶに対応するタイミングで記録ヘッドＲＥＣＡ、ＲＥＣＢの動作を立ち上げ、磁気テープ１に記録されたイン点ＩＮ以降のオーディオデータをビデオ信号に対応するように更新する（図１（Ｈ））。
【００５６】
このようにしてインサート編集を開始した後、アウト点ＯＵＴが到来すると、システムコントローラ１３は、選択回路１５の接点をデータ伸長回路１６側に切り換え、磁気テープ１より再生されるビデオデータＤＶ２をデータ圧縮回路１９に供給する（図１（Ａ）〜（Ｃ））。これによりシステムコントローラ１３は、アウト点ＯＵＴについても、このアウト点ＯＵＴを基準にして、磁気テープ１より再生したビデオデータＤＶ２とビデオデータＤＶ１とを繋ぎ合わせて符号化データを生成する（図１（Ｄ））。
【００５７】
またシステムコントローラ１３は、同様にして、映像音声処理回路１４より出力される映像信号を切り換え、これによりアウト点ＯＵＴを境にして素材が変化してなる編集内容の映像信号を出力する。
【００５８】
システムコントローラ１３は、このアウト点ＯＵＴを基準にした所定のタイミングにより符号化データＤ１の記録を中止する。このときシステムコントローラ１３は、このアウト点ＯＵＴの直後がＩピクチャーの場合、このアウト点ＯＵＴを含むＧＯＰに加えて直後のＧＯＰまで符号化データＤ１を記録するように、記録ヘッドＲＥＣＡ、ＲＥＣＢの動作を切り換える（図１（Ｅ））。これによりシステムコントローラ１３は、アウト点ＯＵＴ以前のフレームの予測フレームに設定されてなるアウト点ＯＵＴ以降のフレーム（数字９により示す）についても、磁気テープ１に記録し直し、さらにはこのフレーム（９）に続く１ＧＯＰについても磁気テープ１に記録し直し、画質劣化を有効に回避する。
【００５９】
すなわち図８に示すように、ＢピクチャーとＩピクチャーとが連続してなる映像信号に対して、ＢピクチャーＢ３の終了時点をアウト点ＯＵＴに設定して同様の配列順序でなる符号化データを単に配列すると（図８（Ａ）及び（Ｂ））、アウト点ＯＵＴ直後のＩピクチャーＩ３を予測フレームにしてなるＢピクチャーＢｉ３においては、予測フレームがデータ圧縮時と異なることにより、正しくデータ伸張することが困難になる（図８（Ｃ））。ところがこの実施の形態のように、磁気テープ１より再生された映像信号に編集用映像信号を繋ぎ併せてデータ圧縮し直し、その結果得られる符号化データを磁気テープ１に記録し直せば（図８（Ｄ）及び（Ｅ））、正しくデータ伸張することができ、その分画質劣化を有効に回避する。またこのアウト点ＯＵＴを含むＧＯＰの符号化データを一定のデータ量に保持することができる。
【００６０】
ところがこのようにインサート編集を終了したアウト点ＯＵＴは、いわゆるシーンチェンジの場面であり、アウト点ＯＵＴ直後のＩピクチャーＩ３を予測フレームにしてなるＢピクチャーＢｉ３においては、大きな予測誤差が発生する。従ってこのＢピクチャーＢｉ３においては、符号化データの発生データ量も増大する。この実施の形態においては、データ圧縮処理単位でなるＧＯＰ単位で、符号化データ量が一定値になるように符号化処理していることにより、この場合相対的に続くＩピクチャーＩ３への割り当てデータ量が減少することになる。従って再生時においては、このデータ量の低減したＩピクチャーＩ３を基準にして続くＢピクチャーＢ４がデコードされることになる。すなわちその分ＢピクチャーＢ４が画質劣化して再生されることになる。
【００６１】
ところがこの実施の形態のように、続くＧＯＰについても、符号化し直して記録し直すようにすれば、ＢピクチャーＢ４は、データ量の低減したＩピクチャーＩ３を基準にして予測符号化された符号化データが磁気テープ１に記録されることになり、その分画質劣化が低減される。
【００６２】
さらにシステムコントローラ１３は、これらの処理と連動して、システムデータ領域ＡＲＳにおいて、１ＧＯＰだけ後行して記録ヘッドＲＥＣＡ、ＲＥＣＢの動作を立ち下げ、磁気テープ１に記録されたシステムデータの更新を停止する。これによりこのアウト点ＯＵＴによるビデオ領域ＡＲＶへの記録終了の履歴がこのアウト点ＯＵＴを含むＥＣＣデータブロックと、前後のＥＣＣデータブロックに記録されることになる（図１（Ｇ））。
【００６３】
なおオーディオデータにおいては、このような予測誤差による劣化が無いことにより、システムコントローラ１３は、オーディオデータについては、アウト点ＯＵＴを含むＥＣＣデータブロックの終了時点で記録ヘッドＲＥＣＡ、ＲＥＣＢの動作を立ち下げる。すなわちビデオ領域ＡＲＶより１ＧＯＰだけ先行して、記録ヘッドＲＥＣＡ、ＲＥＣＢの動作を立ち下げ、磁気テープ１へのオーディオ信号の記録を停止する（図１（Ｈ））。
【００６４】
図９は、イン点ＩＮ及びアウト点ＯＵＴのタイミングが、図１について説明した場合よりそれぞれ１フレーム変位した場合の処理の説明に供するタイムチャートである。この場合も、データ伸長回路１６より出力されるビデオデータＤＶ２においては、先行読み出しヘッドＡＤＡ１〜ＡＤＢ２による走査より４．６フレーム分だけ遅延することになる（図９（Ａ）及び（Ｂ））。
【００６５】
システムコントローラ１３は、この場合も同様に記録系及び再生系の動作を設定して調走させ、イン点ＩＮが到来すると、選択回路１５の接点を映像音声処理回路１４側に切り換え、英字により示す記録対象のビデオデータＤＶ１をデータ圧縮回路１９に供給する（図９（Ｃ））。これによりシステムコントローラ１３は、イン点ＩＮを基準にして、磁気テープ１より再生したビデオデータＤＶ２に編集用ビデオデータＤＶ１を繋ぎ合わせて符号化データＤ１を生成する（図９（Ｄ））。またシステムコントローラ１３は、同様にして、映像音声処理回路１４より出力される映像信号を切り換え、これによりイン点ＩＮを境にして素材が変化してなる編集内容の映像信号を出力する。
【００６６】
ここでイン点ＩＮ以降の符号化データにおいては、８．４フレーム分だけ遅延して元の記録位置を記録ヘッドＲＥＣＡ、ＲＥＣＢを走査するタイミングで対応する符号化データが記録ヘッドＲＥＣＡ、ＲＥＣＢに供給されることになる（図９（Ｅ））。
【００６７】
システムコントローラ１３は、このイン点ＩＮよりＢピクチャーが続く場合、このイン点ＩＮ直後のＧＯＰより記録を開始するように、記録ヘッドＲＥＣＡ、ＲＥＣＢの動作を切り換える（図９（Ｆ））。
【００６８】
すなわち図１０に示すように、ＢピクチャーとＩピクチャーとが連続してなるビデオデータＤＶ１に対して、ＢピクチャーＢ１の開始をイン点ＩＮに設定して同様の配列順序でなる符号化データを単に配列すると（図１０（Ａ）及び（Ｂ））、イン点ＩＮ直後のＢピクチャーＢｉ１では、データ圧縮時とは異なる符号化データが予測フレームとしてイン点ＩＮ直前に配置されることになる。ところがこの実施の形態においては、再生信号した映像信号と編集用の映像信号とを繋ぎ合わせてこのＢピクチャーＢｉ１を符号化処理していることにより、イン点ＩＮ直後のＢピクチャーＢｉ１より磁気テープ１への記録を開始して正しく符号化処理された符号化データＤ１が記録されることになる（図１０（Ｃ）〜（Ｅ））。また続くＩピクチャーＩｉ１、ＢピクチャーＢｉ２についても、繋ぎ合わせた映像信号により符号化処理されていることにより、図９について上述したシーンチェンジによる画質劣化も有効に回避される。
【００６９】
さらにシステムコントローラ１３は、これらの処理と連動して、システムデータ領域ＡＲＳにおいて、１ＧＯＰだけ先行して記録ヘッドＲＥＣＡ、ＲＥＣＢの動作を立ち上げ、磁気テープ１に記録されたシステムデータの内容を更新し、このイン点ＩＮによるビデオ領域ＡＲＶへの記録開始を履歴データに記録する（図１０（Ｇ））。
【００７０】
なおシステムコントローラ１３は、図１について説明した場合と同様に、オーディオデータ領域ＡＲＡにおいては、ビデオ領域ＡＲＶに対応するタイミングにより記録ヘッドＲＥＣＡ、ＲＥＣＢの動作を立ち上げ、磁気テープ１に記録されたイン点ＩＮ以降のオーディオデータをビデオ信号に対応するように更新する。
【００７１】
このようにしてインサート編集を開始した後、アウト点ＯＵＴが到来すると、システムコントローラ１３は、同様に、選択回路１５の接点をデータ伸長回路１６側に切り換え、磁気テープ１より再生したビデオデータＤＶ２と編集用ビデオデータＤＶ１とを繋ぎ合わせて符号化データを生成する（図９（Ａ）〜（Ｄ））。また同様にして、映像音声処理回路１４より出力される映像信号を切り換え、これによりアウト点ＯＵＴを境にして素材が変化してなる編集内容の映像信号を出力する。
【００７２】
システムコントローラ１３は、このアウト点ＯＵＴの直後がＢピクチャーの場合、このアウト点ＯＵＴ直後のＧＯＰまで符号化データＤ１を記録するように、記録ヘッドＲＥＣＡ、ＲＥＣＢの動作を切り換える（図９（Ｆ））。これによりシステムコントローラ１３は、予測フレームがアウト点ＯＵＴ以前に設定されてなるアウト点ＯＵＴ以降のフレーム（数字８により示す）についても、生成し直した符号化データＤ１を磁気テープ１に記録し直し、画質劣化を有効に回避する。
【００７３】
すなわち図１１に示すように、ＢピクチャーとＩピクチャーとが連続してなるビデオデータＤＶ１に対して、ＩピクチャーＩ３の終了位置をアウト点ＯＵＴに設定して同様の配列順序でなる符号化データを単に配列すると（図１１（Ａ）及び（Ｂ））、アウト点ＯＵＴ直前のＩピクチャーＩｉ３を予測フレームにしてなるＢピクチャーＢ４においては、予測フレームがデータ圧縮時と異なることにより、正しくデータ伸張することが困難になる（図１１（Ｃ））。ところがこの実施の形態のように、磁気テープ１より再生された映像信号に編集用映像信号を繋ぎ併せてデータ圧縮し直し、その結果得られる符号化データＤ１を磁気テープ１に記録し直せば（図１１（Ｄ）及び（Ｅ））、正しくデータ伸張することができ、その分画質劣化を有効に回避することができる。
【００７４】
なお、この場合もシステムコントローラ１３は、オーディオデータにおいては、アウト点ＯＵＴでなるＥＣＣデータブロックの終了時点で記録ヘッドＲＥＣＡ、ＲＥＣＢの動作を立ち下げ、これによりシステムデータ領域ＡＲＳにおいては、ビデオ領域ＡＲＶより１ＧＯＰだけ後行して、オーディオデータ領域ＡＲＡにおいては、ビデオ領域ＡＲＶより１ＧＯＰだけ先行して、記録ヘッドＲＥＣＡ、ＲＥＣＢの動作を立ち下げる（図９（Ｇ）及び（Ｈ））。
【００７５】
システムコントローラ１３は、このようにして記録ヘッドＲＥＣＡ、ＲＥＣＢの動作を制御して、各領域ＡＲＶ、ＡＲＳ、ＡＲＡに対応するデータを選択的に記録するにつき、システムデータに割り当てられて磁気テープ１に記録された履歴のデータを内符号デコーダ２７より取得し、この履歴データの内容により、上述した記録ヘッドＲＥＣＡ、ＲＥＣＢの制御のタイミングを変更する。
【００７６】
すなわちこの実施の形態においては、インサート編集等において記録トラック形成位置が変位しても９トラック分のデータを確実に再生できるように、記録を開始するＥＣＣデータブロックについては、先行側の１記録トラック分、記録ヘッドＲＥＣＢの駆動を中止し、記録を終了するＥＣＣデータブロックについては、後行側の１記録トラック分、記録ヘッドＲＥＣＡの駆動を中止し、これにより磁気テープ１上にギャップを形成するようになされている。
【００７７】
これらにより図１２に示すように、順次ＧＯＰの連続する磁気テープ１（図１２（Ａ））に、所定の時点ｔ１より記録を開始すると、この記録開始直後のＧＯＰｉ２については、９本の記録トラックにより磁気テープ１に記録されることになる（図１２（Ｂ））。またこの記録開始直前のＧＯＰ１については、記録トラック形成位置の変位により消去ヘッドＥＲの走査軌跡が変化すると、この場合も９本の記録トラックにより磁気テープ１に記録された状態になる。
【００７８】
また時点ｔ１により磁気テープ１への記録を終了すると、この記録終了直前のＧＯＰｉ１については、９本の記録トラックにより磁気テープ１に記録されることになり（図１２（Ｃ））、またこの場合も記録終了直後のＧＯＰ２については、記録トラック形成位置の変位により消去ヘッドＥＲの走査軌跡が変化すると、９本の記録トラックにより磁気テープ１に記録された状態になる。
【００７９】
さらにこれらのＧＯＰは、何れも記録開始側、記録終了側の記録トラックが１本損なわれた状態に保持され、記録開始側、記録終了側より遠ざかる側では、本来の記録トラックが正しく形成されていることになる。
【００８０】
このような状態で、本来の記録トラックが正しく形成されている後行側の、ＧＯＰｉ２、ＧＯＰ２の直後のＧＯＰ３より続いて記録を開始すると、記録トラック形成位置の変位により、この記録開始直前のＧＯＰｉ２、ＧＯＰ２において、さらに記録トラックが１本損なわれ、これにより実用上十分にＥＣＣデータブロックを復号できなくなる恐れがある。
【００８１】
これによりシステムコントローラ１３は、履歴のデータより、記録を開始するＧＯＰの直前のＧＯＰにおいて、インサート記録が開始されている場合（すなわち図１２（Ｂ）の場合でなる）、また記録を開始するＧＯＰより２ＧＯＰだけ先行するＧＯＰにおいて、インサート記録が終了している場合（すなわち図１２（Ｃ）の場合でなる）、矢印により示すように、ビデオ領域ＡＲＶ、システムデータ領域ＡＲＳ（図１２（Ｅ）及び（Ｆ））において、記録ヘッドＲＥＣＡ、ＲＥＣＢの駆動を開始するタイミングを１ＧＯＰだけ先行させ、これによりこれらＧＯＰｉ２、ＧＯＰ２を記録し直して確実に復号できるようにする。
【００８２】
なお、オーディオデータにおいては、十分な冗長度が割り当てられていることにより、システムコントローラ１３は、オーディオデータについては、タイミングを変更することなく、イン点ＩＮを含むＥＣＣデータブロックの開始時点、又はイン点ＩＮでなるＥＣＣデータブロックの開始時点より記録ヘッドＲＥＣＡ、ＲＥＣＢの動作を立ち上げる（図１２（Ｇ））。
【００８３】
同様に図１３に示すように、記録終了側においては、本来の記録トラックが正しく形成されている先行側の、ＧＯＰｉ４、ＧＯＰ４の直前のＧＯＰで記録を終了すると、記録トラック形成位置の変位により、この記録終了直前のＧＯＰｉ４、ＧＯＰ４において、さらに記録トラックが１本損なわれ、これにより実用上十分にＥＣＣデータブロックを復号できなくなる恐れがある（図１３（Ａ）〜（Ｄ））。
【００８４】
これによりシステムコントローラ１３は、履歴のデータより、記録を終了するＧＯＰの直後のＧＯＰにおいて、インサート記録が終了している場合（すなわち図１３（Ｂ）の場合でなる）、また記録を終了するＧＯＰより２ＧＯＰだけ後行するＧＯＰにおいて、インサート記録が開始している場合（すなわち図１３（Ｃ）の場合でなる）、矢印により示すように、ビデオ領域ＡＲＶ、システムデータ領域ＡＲＳ（図１３（Ｅ）及び（Ｆ））において、記録ヘッドＲＥＣＡ、ＲＥＣＢの駆動を停止するタイミングを１ＧＯＰだけ後行させ、これによりこれらＧＯＰｉ４、ＧＯＰ４を記録し直して確実に復号できるようにする。なおシステムコントローラ１３は、この場合もオーディオデータについては、記録ヘッドＲＥＣＡ、ＲＥＣＢの駆動停止のタイミングを変更することなく、図１及び図９について上述したタイミングにより駆動を停止する。
【００８５】
（１−３）実施の形態の動作
以上の構成において、アナログ信号でなるビデオ信号ＳＶとこのビデオ信号に対応するオーディオ信号ＳＡを記録する場合（図６）、ビデオテープレコーダ１０においては、このビデオ信号ＳＶ及びオーディオ信号ＳＡが映像音声処理回路１４により所定フォーマットのビデオデータＤＶ１、オーディオデータＤＡ１に変換される。
【００８６】
このうちビデオデータＤＶ１は、選択回路１５、フィルタ１７を介してＭＰＥＧフォーマットのデータ圧縮回路１９に入力され、ここでデータ圧縮処理単位でなるＧＯＰが２フレーム単位で順次設定される（図３）。さらに各ＧＯＰにおいて、順次Ｂピクチャーによるフレーム間符号化処理、Ｉピクチャーによるフレーム内符号化処理により符号化データＤ１が生成され、このとき各ＧＯＰにおいて符号化データ量が一定値になるように符号化処理される。
【００８７】
これら符号化データＤ１は、続くＥＣＣエンコーダ２０において、積符号形式の誤り訂正符号、ＥＣＣデータブロックの復号に必要な識別データＩＤが付加され、これにより誤り訂正処理単位でなるＥＣＣデータブロックが形成される。
【００８８】
これに対してオーディオデータＤＡ１は、映像音声処理回路１４より直接ＥＣＣエンコーダ２０に入力され、ここで同様に積符号形式の誤り訂正符号、ＥＣＣデータブロックの復号に必要な識別データＩＤが付加され、誤り訂正処理単位でなるＥＣＣデータブロックが形成される。
【００８９】
またこのＥＣＣエンコーダ２０において、該当するＥＣＣデータブロック、前後のＥＣＣデータブロックについての、磁気テープ１上における履歴を表す履歴データ、誤り訂正符号がこれら識別データＩＤに付加されてシステムデータが生成される。
【００９０】
このようにしてＥＣＣデータブロックを単位にしてＥＣＣエンコーダ２０に保持された各種データは、記録ヘッドＲＥＣＡ、ＲＥＣＢの走査に対応したタイミングにより、ＥＣＣエンコーダ２０より所定順序で出力されることにより、シャフリング処理され、続く記録回路２３により変調処理されて記録ヘッドＲＥＣＡ、ＲＥＣＢの駆動に供される。
【００９１】
これにより１０本の記録トラックに１のＥＣＣデータブロックを割り当てて、ビデオデータ、オーディオデータ、システムデータが順次磁気テープ１に記録される（図２）。さらに走査開始端側及び走査終了端側の一定範囲でなるビデオ領域ＡＲＶ、その内側のシステムデータ領域ＡＲＳ、オーディオデータ領域ＡＲＡに、それぞれビデオデータ、システムデータ、オーディオデータが記録される。
【００９２】
このようにして順次記録ヘッドＲＥＣＡ、ＲＥＣＢにより磁気テープ１に記録されるビデオデータ、システムデータ、オーディオデータは、この記録ヘッドＲＥＣＡ、ＲＥＣＢより１８０度対向して配置されたモニタ用ヘッドＰＢＡ、ＰＢＢにより再生信号が得られ（図４、図５）、この再生信号よりクロックが再生されてビタビ復号され、これにより再生信号処理回路２６により再生信号が再生データに変換される（図６）。
【００９３】
これらの再生データのうち、ビデオデータ及びオーディオデータは、続く内符号デコーダ２７により誤り検出され、この誤り検出結果に基づいて、続く外符号デコーダ２１により誤り訂正処理される。このとき識別データＩＤによりデシャフリング処理され、これによりＥＣＣデータブロックが復号される。
【００９４】
このようにして復号されたＥＣＣデータブロックのうち、オーディオデータは、外符号デコーダ２１より映像音声処理回路１４に入力され、ここでオペレータの所望するフォーマットに変換された後、外部機器に出力される。これにより記録したオーディオデータが外部機器によりモニタされる。
【００９５】
またビデオデータでなる符号化データＤ１は、外符号デコーダ２１よりデータ伸長回路１６に入力され、ここでデータ伸張されてデータ圧縮回路１９の入力データが復号される。さらに復号されたビデオデータＤＶ２が映像音声処理回路１４に入力され、ここでオーディオデータに対応するフォーマットにより外部機器に出力され、記録したビデオデータがモニタされる。
【００９６】
これに対してシリアルデータでなるディジタルビデオ信号ＳＤＩを記録する場合、映像音声処理回路１４において、これらディジタルビデオ信号ＳＤＩがビデオデータ及びオーディオデータに変換され、これらビデオデータ及びオーディオデータが同様に処理されて磁気テープ１に記録される。また同様に、モニタ用ヘッドＰＢＡ、ＰＢＢより得られる再生信号が信号処理されて磁気テープ１に記録されたビデオ信号及びオーディオ信号が再生され、このビデオデータ及びオーディオデータが外部機器に出力される。
【００９７】
これに対して再生時、磁気テープ１に記録されたビデオデータ、オーディオデータは、再生信号処理回路２６において、１方の組の先行読み出しヘッドＡＤＡ１、ＡＤＢ１がジャストトラッキングにより磁気テープ１を走査しているとき、他方の組の先行読み出しヘッドＡＤＡ２、ＡＤＢ２が１トラックだけオフセットするように保持されてなる２組の先行読み出しヘッドＡＤＡ１〜ＡＤＢ２より４系統の再生信号が得られ、これらの再生信号がそれぞれ再生データに変換された後、内符号デコーダ２７により誤り検出処理される。さらにこの誤り検出結果に基づいて、外符号デコーダ２１により誤り訂正処理され、内蔵のメモリに選択的に格納される。これにより精度の低い簡易なトラッキング制御により何れかの先行読み出しヘッドＡＤＡ１〜ＡＤＢ２がオフトラックして対応する記録トラックを走査した場合でも、正しく再生された再生データが外符号デコーダ２１の内蔵のメモリに保持され、いわゆるノントラッキングの手法によりＥＣＣデータブロックが再生される。
【００９８】
これら外符号デコーダ２１に格納された再生データは、記録時と同様の処理を受け、外部機器に出力され、これにより磁気テープ１に記録されたビデオデータ及びオーディオデータが出力される。
【００９９】
これに対してビデオ信号又はオーディオ信号のアフターレコーディングの場合、上述した記録時と同様に、モニタヘッドＰＢＡ、ＰＢＢより得られる再生信号を選択的に処理して、又は再生時と同様に、先行読み出しヘッドＡＤＡ１〜ＡＤＢ２より得られる再生信号を選択的に処理して、磁気テープ１に記録された直後のビデオ信号と対応するオーディオ信号をモニタした状態で、又は磁気テープ１に記録されたオーディオ信号又はビデオ信号を先行してモニタした状態で、ビデオ信号又はオーディオ信号について、選択的に記録時の処理が実行され、これによりビデオ領域ＡＲＶ、オーディオデータ領域ＡＲＡに対応するビデオ信号又はオーディオ信号がアフターレコーディングされる。
【０１００】
これに対してインサート編集の場合、先行読み出しヘッドＡＤＡ１〜ＡＤＢ２より得られる再生信号を選択的に処理して、磁気テープ１に記録されたビデオ信号及びオーディオ信号が磁気テープ１より再生される（図１及び図９）。さらにこの再生されたビデオ信号及びオーディオ信号が外部機器に出力される。
【０１０１】
またこのうちビデオデータＤＶ１は、選択回路１５、フィルタ１７を介してデータ圧縮回路１９に供給され、ここでデータ圧縮された後、続くＥＣＣエンコーダ２０により順次ＥＣＣデータブロックが生成され、記録ヘッドＲＥＣＡ、ＲＥＣＢの制御によりこのＥＣＣデータブロックが磁気テープ１に記録されることなく記録時と同様に記録回路２３に順次出力される。
【０１０２】
またオーディオデータＤＡ２は、映像音声処理回路１４によりビデオデータとのタイミングが図られた後、ＥＣＣエンコーダ２０に出力され、ここで順次ＥＣＣデータブロックが生成され、記録ヘッドＲＥＣＡ、ＲＥＣＢの制御によりこのＥＣＣデータブロックが磁気テープ１に記録されることなく記録時と同様に記録回路２３に順次出力される。
【０１０３】
この状態でイン点ＩＮが到来すると、選択回路１５の接点が映像音声処理回路１４側に切り換えられ、これによりイン点ＩＮを境にして、磁気テープ１より再生されたビデオデータに編集用のビデオデータを繋ぎ合わせてなるＥＣＣデータブロックが順次ＥＣＣエンコーダ２０で生成される。またこれに対応して外符号デコーダ２１より出力されるオーディオデータＤＡ２に、映像音声処理回路１４より出力されるオーディオデータが繋ぎ合わされてＥＣＣデータブロックが生成される。
【０１０４】
さらにこれらのＥＣＣデータブロックにより、記録時と同様に、記録ヘッドＲＥＣＡ、ＲＥＣＢが駆動され、これによりイン点ＩＮ以降のビデオ信号、オーディオ信号が磁気テープ１に記録される。また映像音声処理回路１４の動作が切り換えられ、このように繋ぎ合わされてなるビデオ信号及びオーディオ信号が外部機器にモニタ出力される。
【０１０５】
このときイン点ＩＮの直後がＩピクチャーの場合、このイン点ＩＮを含むＧＯＰより磁気テープ１への記録が開始され（図７）、これによりこのイン点ＩＮ以降のフレームを予測フレームにしてなるイン点ＩＮ以前のフレームＢ１について、正しく予測符号化処理されてなる符号化データＤ１が、磁気テープ１に記録される。
【０１０６】
またこのフレームＢ１のビデオ信号が磁気テープ１より再生されて再び磁気テープ１に記録されるまでのシステムディレイに対応して、先行読み出しヘッドＡＤＡ１〜ＡＤＢ２に対して記録ヘッドＲＥＣＡ、ＲＥＣＢが後行して配置されていることにより、フレームＢ１のビデオ信号においては、元のＧＯＰの記録位置に再記録され、これによりイン点ＩＮを境にして、記録済のビデオ信号に編集用のビデオ信号が繋がるように連続するビデオ信号が、磁気テープ１に時系列により記録される。
【０１０７】
またイン点ＩＮの直後がＢピクチャーの場合、このイン点ＩＮ直後のＧＯＰより磁気テープ１への記録が開始され（図１０）、この場合イン点ＩＮ以前のフレームＩ０を予測フレームにしてなるイン点ＩＮ以降のフレームＢｉ１について、正しく予測符号化処理されてなる符号化データＤ１が、磁気テープ１に記録される。
【０１０８】
またシステムディレイに対応して記録ヘッドＲＥＣＡ、ＲＥＣＢが後行して配置されていることにより、この場合もイン点ＩＮを境にして、記録済のビデオ信号に編集用のビデオ信号が繋がるように連続するビデオ信号が磁気テープ１に時系列により記録される。またオーディオデータにおいては、ビデオ信号に対応するタイミングにより磁気テープ１への記録が開始される。
【０１０９】
さらにこのようにイン点ＩＮを基準にしてＧＯＰの記録を開始する場合、このＧＯＰに割り当てられる１０本の記録トラックのうちの、先行側の記録トラックの形成が停止制御され、これにより記録開始位置にギャップが形成される。これに対して９本の記録トラックによっても、ＥＣＣデータブロックを復号できるようにＥＣＣデータブロックの符号長等が設定されていることにより、記録トラック形成位置が変位した場合でも、記録開始位置前後のＥＣＣデータブロックを正しく復号できるように保持される。これにより簡易かつ精度の低い磁気テープ走行系によっても確実にイン点ＩＮよりインサート編集を開始でき、その分全体構成が簡略化される。
【０１１０】
これらに対応してシステムデータにおいては、この記録を開始するＧＯＰと、その前後のＧＯＰにおいて、この記録を開始するＧＯＰがイン点ＩＮの開始である旨の履歴のデータが設定され、この履歴のデータが磁気テープ１に記録される。これによりインサート編集を繰り返す場合でも、後述する処理により確実にＥＣＣデータブロックを再生できるように設定される。
【０１１１】
このようにして編集用のビデオ信号の記録を開始した後、アウト点ＯＵＴが到来すると、選択回路１５の接点がデータ伸長回路１６側に切り換えられ、これによりアウト点ＯＵＴを境にして、磁気テープ１より再生されたビデオ信号を編集用のビデオ信号に繋ぎ合わせてなるＥＣＣデータブロックが順次ＥＣＣエンコーダ２０で生成される。またこれに対応して映像音声処理回路１４より出力されるオーディオデータに、外符号デコーダ２１より出力されるオーディオデータＤＡ２が繋ぎ合わされてＥＣＣデータブロックが生成される。
【０１１２】
さらに記録ヘッドＲＥＣＡ、ＲＥＣＢの駆動が停止され、これにより磁気テープ１へのビデオ信号、オーディオ信号の記録が停止制御される。
【０１１３】
このときアウト点ＯＵＴの直後がＩピクチャーＩ３の場合（図８）、このアウト点ＯＵＴを含むＧＯＰが磁気テープ１に記録され、これによりＧＯＰ単位で一定データ量により符号化処理してデータ量の変化したフレームＩ３の符号化データが対応するフレームＢｉ３の符号化データと共に磁気テープ１に記録される。また続くＧＯＰ４について記録を完了して磁気テープ１への記録が停止制御され、これによりインサート編集のアウト点ＯＵＴで発生するシーンチェンジについては、一定データ量によりＧＯＰ単位でデータ圧縮する場合に、続くこのＧＯＰ４における画質劣化が低減される。
【０１１４】
これに対してアウト点ＯＵＴの直後がＢピクチャーＢ４の場合、このアウト点ＯＵＴに続くＧＯＰが磁気テープ１に記録されて磁気テープ１への記録が停止制御され（図１１）、これによりアウト点ＯＵＴ以前のフレームＩｉ３を予測フレームにしてなるアウト点ＯＵＴ以降のフレームＢ４について、正しく予測符号化処理されてなる符号化データＤ１が、磁気テープ１に記録される。
【０１１５】
これらの場合にも、システムディレイに対応して記録ヘッドＲＥＣＡ、ＲＥＣＢが後行して配置されていることにより、これらの磁気テープ１より再生された各フレームのビデオ信号については、元のＧＯＰの記録位置に再記録され、これによりアウト点ＯＵＴを境にして、編集用のビデオ信号に記録済のビデオ信号が繋がるように連続するビデオ信号が磁気テープ１に時系列により記録される。
【０１１６】
これに対してオーディオデータにおいては、アウト点ＯＵＴを含むＥＣＣデータブロックの終了時点又はアウト点ＯＵＴでなるＥＣＣデータブロックの終了時点で、磁気テープ１への記録が停止される。
【０１１７】
さらにこのようにアウト点ＯＵＴを基準にしてＧＯＰの記録を終了する場合、このＧＯＰに割り当てられる１０本の記録トラックのうちの、後行側の記録トラックの形成が停止制御され、これにより記録終了位置にギャップが形成される。これにより記録終了側で記録トラック形成位置が変位した場合でも、記録終了位置前後のＥＣＣデータブロックを正しく復号できる。これにより簡易かつ精度の低い磁気テープ走行系によっても確実にアウト点ＯＵＴでインサート編集を終了でき、その分全体構成が簡略化される。
【０１１８】
これらに対応してシステムデータにおいては、この記録を終了するＧＯＰと、その前後のＧＯＰにおいて、この記録を終了するＧＯＰがアウト点ＯＵＴの終了である旨の履歴のデータが設定され、この履歴のデータが磁気テープ１に記録される。これによりインサート編集を繰り返す場合でも、後述する処理により確実にＥＣＣデータブロックを再生できるように設定される。
【０１１９】
すなわちこのようにインサート編集する場合に、イン点ＩＮ前においては、続くＧＯＰについて、システムデータより記録開始位置か否か、記録終了位置か否かが確認され、これにより記録を開始するＧＯＰの直前のＧＯＰにおいて、インサート記録が開始されている場合（図１２（Ｂ））、また記録を開始するＧＯＰより２ＧＯＰだけ先行するＧＯＰにおいて、インサート記録が終了している場合（図１２（Ｃ））が検出される。
【０１２０】
さらにこれらの場合、ビデオ領域ＡＲＶ、システムデータ領域ＡＲＳ（図１２（Ｅ）及び（Ｆ））において、記録ヘッドＲＥＣＡ、ＲＥＣＢの駆動を開始するタイミングが１ＧＯＰだけ先行される。これにより記録開始時、記録終了時のＥＣＣデータブロックを９本の記録トラックに割り当てる場合に、インサート編集の繰り返しにおいて記録開始時に記録トラック形成位置が変化した場合でも、これら記録開始位置及び記録終了位置の前後ＧＯＰについては、９本の記録トラックによりビデオデータ及びオーディオデータが記録されるように保持され、これらのＧＯＰｉ２、ＧＯＰ２が確実に復号できるように保持される。
【０１２１】
またアウト点ＯＵＴ前においては、続くＧＯＰについて、システムデータより記録開始位置か否か、記録終了位置か否かが確認され、記録を終了するＧＯＰの直後のＧＯＰにおいて、インサート記録が終了している場合（図１３（Ｂ））、また記録を終了するＧＯＰより２ＧＯＰだけ後行するＧＯＰにおいて、インサート記録が開始している場合（図１３（Ｃ））が検出される。
【０１２２】
さらにこれらの場合、ビデオ領域ＡＲＶ、システムデータ領域ＡＲＳ（図１３（Ｅ）及び（Ｆ））において、記録ヘッドＲＥＣＡ、ＲＥＣＢの駆動を停止するタイミングが１ＧＯＰだけ後行され、これにより記録終了時において、インサート編集の繰り返しにおいて記録トラック形成位置が変化した場合でも、これら記録開始位置及び記録終了位置の前後ＧＯＰについては、９本の記録トラックによりビデオデータ及びオーディオデータが記録されるように保持され、これらのＧＯＰが確実に復号できるように保持される。
【０１２３】
（１−４）実施の形態の効果
以上の構成によれば、再生時の遅延時間と記録時の遅延時間とを加算してなるシステムディレイの分、先行読み出しヘッドＡＤＡ１〜ＡＤＢ２より後行して記録ヘッドＲＥＣＡ、ＲＥＣＢを配置したことにより、フレームを単位にして種々にイン点、アウト点を設定して、磁気テープより得られる再生信号をデコードして編集用のビデオデータと繋ぎ合わせた後、符号化して磁気テープに記録して、この磁気テープより再生したビデオ信号を元の記録位置に記録することができる。これによりフレームを単位にして自由に編集処理することができる。
【０１２４】
またこのとき１組の磁気ヘッドが記録ヘッドの走査軌跡をジャストトラッキングにより走査したとき、他方の組の磁気ヘッドがこの走査軌跡を１トラックだけオフトラックして走査するように配置された２組の磁気ヘッドにより先行読み出しヘッドを構成し、またこれら２組の先行読み出しヘッドより得られる再生信号を選択的に処理してビデオ信号を再生することにより、簡易な構成の磁気テープ走行系によりビデオ信号を再生することができる。
【０１２５】
さらにイン点及びアウト点において、ＥＣＣデータブロックを割り当てる１０本の記録トラックのうちの、イン点側及びアウト点側の記録トラックについて、この記録トラックの形成を中止することにより、さらには９本の記録トラックからの再生データによっても実用上十分にＥＣＣデータブロックを復号できるように、誤り訂正符号を生成することにより、簡易な磁気テープ走行系によりインサート編集する場合でも、確実にインサート編集することができる。
【０１２６】
またこの場合に、インサート編集による記録開始位置及び記録終了位置を示す履歴のデータを各ＧＯＰに割り当てて磁気テープに記録し、この磁気テープに記録された履歴のデータに基づいて、記録開始位置及び記録終了位置を変更することにより、簡易な磁気テープ走行系によりインサート編集を繰り返す場合でも、簡易かつ確実にフレームを単位にして編集処理することができる。
【０１２７】
（２）他の実施の形態
なお上述の実施の形態においては、２フレーム単位でＧＯＰを設定し、各ＧＯＰのフレームをＢピクチャー、Ｉピクチャーに設定する場合について述べたが、本発明はこれに限らず、Ｂピクチャーに代えてＰピクチャーに設定する場合にも広く適用することができる。
【０１２８】
また上述の実施の形態においては、２フレーム単位でＧＯＰを設定する場合について述べたが、本発明はこれに限らず、例えば図１４に示すように、１５フレームにより１ＧＯＰを形成する場合等に広く適用することができる（図１４（Ａ）。
【０１２９】
さらに上述の実施の形態においては、磁気テープ１より記録済のビデオ信号及びオーディオ信号を連続して再生して編集用のビデオ信号と繋ぎ合わせる場合について述べたが、本発明はこれに限らず、必要最小限度の範囲でなる編集点を含むＧＯＰ、編集点前後のＧＯＰだけを再生して編集用のビデオ信号と繋ぎ合わせるようにしてもよい。
【０１３０】
またこれらの場合に、ＧＯＰの各フレームについて発生データ量を制御するような場合には、正しい符号化処理に必要なフレームについてだけ磁気テープに記録済のビデオ信号を再生してもよい。ちなみに図１４に示すようにイン点ＩＮを設定した場合、少なくとも、このイン点ＩＮ以前のフレームの直接又は間接の予測フレームでなるイン点ＩＮ以前のフレーム（図１４（Ｃ））、このイン点ＩＮ以降のフレームが直接に又は間接に予測フレームでなるイン点ＩＮ以前のフレーム（図１４（Ｄ））だけを磁気テープ１より再生して編集用のビデオ信号と繋ぎ合わせて、正しく符号化処理することができる。
【０１３１】
また上述の実施の形態においては、誤り訂正処理単位をデータ圧縮処理単位でなるＧＯＰ単位に設定する場合について述べたが、本発明はこれに限らず、データ圧縮処理単位と異なるように誤り訂正処理単位を設定する場合にも広く適用することができる。
【０１３２】
また上述の実施の形態においては、一定データ量によりデータ圧縮する場合にについて述べたが、本発明はこれに限らず、発生データ量を制限しない場合にも広く適用することができる。なおこの場合にも、上述したように、正しい符号化処理に必要なフレームについてだけ磁気テープに記録済のビデオ信号を再生して、フレーム単位で編集処理することができる。
【０１３３】
さらに上述の実施の形態においては、２組の先行読み出しヘッドよりビデオ信号を再生してインサート編集する場合について述べたが、本発明はこれに限らず、１組の先行読み出しヘッドよりビデオ信号を再生してインサート編集する場合にも広く適用することができる。
【０１３４】
また上述の実施の形態においては、ＭＰＥＧの手法によりビデオ信号をデータ圧縮する場合について述べたが、本発明はこれに限らず、フレーム間の相関を利用してデータ圧縮する場合に広く適用することができる。
【０１３５】
【発明の効果】
上述のように本発明によれば、磁気テープより再生した映像信号を再び磁気テープに記録するまでに要する時間の分、再生ヘッドに対して記録ヘッドを後行させて配置することにより、磁気テープより再生した映像信号と編集用の映像信号とを繋ぎ合わせた映像信号をデータ圧縮して磁気テープに記録して、フレーム間符号化処理により映像信号を記録する場合でも、フレーム単位でインサート編集等の処理を実行することができる。
【図面の簡単な説明】
【図１】本発明の実施の形態に係るビデオテープレコーダのインサート編集の説明に供するタイムチャートである。
【図２】記録フォーマットを示す平面図である。
【図３】ＧＯＰの構成を示す略線図である。
【図４】磁気ヘッドの配置を示す平面図である。
【図５】磁気ヘッドによる走査を示す平面図である。
【図６】ビデオテープレコーダの全体構成を示すブロック図である。
【図７】インサート編集のイン点の処理の説明に供するタイムチャートである。
【図８】インサート編集のアウト点の処理の説明に供するタイムチャートである。
【図９】図１の場合とは異なるタイミングによるインサート編集の説明に供するタイムチャートである。
【図１０】図９のイン点の処理の説明に供するタイムチャートである。
【図１１】図９のアウト点の処理の説明に供するタイムチャートである。
【図１２】記録開始位置の変更の説明に供するタイムチャートである。
【図１３】記録終了位置の変更の説明に供するタイムチャートである。
【図１４】他の実施の形態に係るＧＯＰを示すタイムチャートである。
【符号の説明】
１……磁気テープ、３……回転ドラム、１０……ビデオテープレコーダ、１３……システムコントローラ、１４……映像音声処理回路、１６……データ伸長回路、１９……データ圧縮回路、２０……ＥＣＣエンコーダ、２１……外符号デコーダ、２７……内符号デコーダ、ＡＤＡ１〜ＡＤＢ２、ＥＲ、ＲＥＣＡ、ＲＥＣＢ、ＰＢＡ、ＰＢＢ……磁気ヘッド
【図１】
0003918254.tif 000002
【図２】
0003918254.tif 000003
【図３】
0003918254.tif 000004
【図４】
0003918254.tif 000005
【図５】
0003918254.tif 000006
【図６】
0003918254.tif 000007
【図７】
0003918254.tif 000008
【図８】
0003918254.tif 000009
【図９】
0003918254.tif 000010
【図１０】
0003918254.tif 000011
【図１１】
0003918254.tif 000012
【図１２】
0003918254.tif 000013
【図１３】
0003918254.tif 000014
【図１４】
0003918254.tif 000015